(57)【要約】  【課題】  全長を出来る限り短くすること。  【解決手段】床面に上向きに設置された頭側脚部に沿って昇降する第１駆動機構と、前記床面に上向きに設置された足側脚部に沿って前記第１駆動機構と同期して昇降する第２駆動機構と、長手方向の一端部及び他端部が夫々前記第１駆動機構及び前記第２駆動機構と連結されてマットレスが載置される床部と、前記床部の一端部と前記第１駆動機構との連結部を跨ぐようにして前記床部の一端部と前記第１駆動機構との間に設けられたヘッドボードと、前記床部の他端部と前記第２駆動機構との連結部を跨ぐようにして前記床部の他端部と前記第２駆動機構との間に設けられたフットボードとを備え、前記ヘッドボードに前記第１駆動機構のケーシングの一部を収納する凹部を形成したことを特徴とする、昇降ベッドを提供すること。【選択図】  図１
2006109884.tif 000002
【特許請求の範囲】
【請求項１】
床面に上向きに設置された頭側脚部に沿って昇降する第１駆動機構と、前記床面に上向きに設置された足側脚部に沿って前記第１駆動機構と同期して昇降する第２駆動機構と、長手方向の一端部及び他端部が夫々前記第１駆動機構及び前記第２駆動機構と連結されてマットレスが載置される床部と、前記床部の一端部と前記第１駆動機構との連結部を跨ぐようにして前記床部の一端部と前記第１駆動機構との間に設けられたヘッドボードと、前記床部の他端部と前記第２駆動機構との連結部を跨ぐようにして前記床部の他端部と前記第２駆動機構との間に設けられたフットボードとを備え、前記ヘッドボードに前記第１駆動機構のケーシングの一部を収納する凹部を形成したことを特徴とする、昇降ベッド。
【請求項２】
床面に上向きに設置された頭側脚部に沿って昇降する第１駆動機構と、前記床面に上向きに設置された足側脚部に沿って前記第１駆動機構と同期して昇降する第２駆動機構と、長手方向の一端部及び他端部が各々前記第１駆動機構及び前記第２駆動機構と連結されてマットレスが載置される床部と、前記床部の一端部に連結されたヘッドボードとを備える昇降ベッドにおいて、前記ヘッドボードには、前記第１駆動機構が入り込むための切り欠き部が形成されてなることを特徴とする、昇降ベッド。
【発明の詳細な説明】
【技術分野】
【０００１】
本発明は、昇降ベッドに関する。
【背景技術】
【０００２】
近年、介護ベッド、リクライニングベッド等には、ベッド全体を上下に昇降させて使用者のベッドからの乗り降りを容易とするための昇降機構が備えられているものが多い。その一例が特許文献１に開示されている。この特許文献１
に開示された昇降ベッドは、床面に上向きに設置された頭側脚部に沿って昇降可能に保持されたヘッドボード部と、前記ヘッドボード部内に収容された前記ヘッドボード部を前記頭側脚部に沿って昇降させる第１駆動機構と、前記床面に上向きに設置された足側脚部に沿って昇降可能に保持されたフットボード部と、前記フットボード部内に収容された前記フットボード部を前記足側脚部に沿って昇降させる第２駆動機構と、前記ヘッドボード部と前記フットボード部とを連結し且つマットレスが載置される床部とを備える。
【特許文献１】特開２００１−０４６１７９号公報
【発明の開示】
【発明が解決しようとする課題】
【０００３】
特許文献１に開示された構造を採用すれば、確かに、第１駆動機構と第２駆動機構を同時に作動させて、床部を床面から所望の高さに調整でき、無理の無い姿勢で介護をが出来、評価されてしかるべきである。
【０００４】
しかしながら、ヘッドボード部もフットボード部もボックス態様であるので、昇降ベッドの全長が２メートルを超え、設置される居室によっては、周囲の空間を狭めてしまう危惧があった。
【０００５】
それ故に、本発明は、全長を少しでも短くした昇降ベッドを提供することを、その技術的課題とする。
【課題を解決するための手段】
【０００６】
上記の課題を解決するために講じた技術的手段は、請求項１に記載のように、
「床面に上向きに設置された頭側脚部に沿って昇降する第１駆動機構と、前記床面に上向きに設置された足側脚部に沿って前記第１駆動機構と同期して昇降する第２駆動機構と、長手方向の一端部及び他端部が夫々前記第１駆動機構及び前記第２駆動機構と連結されてマットレスが載置される床部と、前記床部の一端部と前記第１駆動機構との連結部を跨ぐようにして前記床部の一端部と前記第１駆動機構との間に設けられたヘッドボードと、前記床部の他端部と前記第２駆動機構との連結部を跨ぐようにして前記床部の他端部と前記第２駆動機構との間に設けられたフットボードとを備え、前記ヘッドボードに前記第１駆動機構のケーシングの一部を収納する凹部を形成したことを特徴とする、昇降ベッド。」
を構成したことである。
【発明の効果】
【０００７】
本発明によれば、ヘッドボードに第１駆動機構のケーシングの一部を収納する凹部を形成したので、この凹部の深さ分だけ、全長を短くすることが出来、実用上、多大な効果を奏する。
【発明を実施するための最良の形態】
【０００８】
以下、本発明に係る昇降ベッドの実施形態の一例を、図面を参照して詳細に説明する。
【０００９】
図１〜図５において、昇降ベッド１０は、床面Ｆに上向きに設置された頭側脚部１２に沿って昇降する第１駆動機構２０と、床面Ｆに上向きに設置された足側脚部１４に沿って昇降する第２駆動機構３０とを備える。しかして、第１駆動機構２０の内部構造部（図示略）はケーシング２２内に収容されている。他方、第２駆動機構３０の内部構造部（図示略）も、同様に、ケーシング３２内に収容されている。第１駆動機構２０及び第２駆動機構３０の内部構造部としては、例えば、特開２０００−３３３７８７号公報や特開２００１−４６１７９号公報に開示されたものを、援用することが出来る。
【００１０】
第１駆動機構２０のケーシング２２は、連結部材２８を介して床部５０の一端部と連結される。同様に、第２駆動機構３０のケーシング３２は、連結部材３８を介して床部５０の他端部と連結される。しかして第１駆動機構２０と第２駆動機構３０とは同期して昇降されるように構成されているので、第１駆動機構２０と第２駆動機構３０を適宜駆動すれば、マットレス（図示略）が載置される床部５０の床面Ｆからの高さを所望の位置にセットでき、例えば、介護に最適な位置をもたらすことが出来る。
【００１１】
床部５０の一端部には、ヘッドボード６０が、連結手段８０を介して連結されている。このヘッドボード６０は、床部５０の一端部と第１駆動機構２０のハウジング２２との連結部（つまり連結部材２８）を跨ぐようにして、床部５０の一端部と第１駆動機構２０のハウジング２２との間に設けられる。尚、床部５０の一端部からは平面部（図示略）が連結部材２８の下側に位置するように延出しており、ヘッドボード６０は、この平面部に支持される。
【００１２】
ヘッドボード６０の表面は化粧板面としてマットレス側に位置し、他方、ヘッドボード６０の裏面は、第１駆動機構２０のハウジング２２の側に位置する。しかして、ヘッドボード６０の裏面には、凹部６２が形成されており、この凹部６２に、第１駆動機構２０のハウジング２２の一部分２４が、凹凸嵌合の態様で収容されている。第１駆動機構２０のハウジング２２の一部分２４が、フラットなヘッドボード６０の裏面と当接している構造とを比較した場合、昇降ベッド１０の全長が、わずかではあるが、実用上、有意な短縮を図ることが出来る。
【００１３】
尚、図示こそしないが、同様な構造が、フットボード側にも採用される。
【図面の簡単な説明】
【００１４】
【図１】本発明に係る昇降ベッドの模式的側面図である。
【図２】図１の昇降ベッドにおける、ヘッドボードが連結部材を跨ぐ状態を示す図である。
【図３】図１の昇降ベッドにおける、ヘッドボードの配列態様を示す模式的平面図である。
【符号の説明】
【００１５】
１０  昇降ベッド
１２  頭側脚部
１４  足側脚部
２０  第１駆動機構
２２  ハウジング
２４  ハウジングの一部
２８  連結部材
３０  第２駆動機構
３２  ハウジング
３４  ハウジングの一部
５０  床部
６０  ヘッドボード
６２  凹部
７０  フットボード
７２  凹部
Ｆ    床面
【図１】
2006109884.tif 000003
【図２】
2006109884.tif 000004
【図３】
2006109884.tif 000005